(57)【要約】      （修正有）【課題】電動切断工具のジグソーと専用冶具を使用して熟練者以外でも簡単に均一で完成度の高い四分円加工を実現することができるジグソー用角丸加工治具を提供する。【解決手段】加工手段は、板材の隅の直角部頂点Ｇの隣り合う辺の近傍を、両端に固定具３を備えた金属製冶具で固定して、冶具の上面に装着された直角部の半角４５度線上をスライドする斜行スライダー４の先端部５内の回転軸受６に、ジグソー用円ガイド８の連結端を繋ぎ、ジグソーのブレード１０で円ガイド８の動きに沿って切断すれば、一回の工程で完成度の高い四分円加工が可能となる。【選択図】図２
0003208005.tif 000002
【実用新案登録請求の範囲】
【請求項１】
板材の隅の直角部の隣り合う２辺をまたぐ形状の金属製治具、その両端の裏面側にそれぞれ板を掴む固定金具３を備え、治具の上面の中央部には直角部の半角４５度線上をスライドする斜行スライダー４が２個の止めネジ付案内ガイドブロック７でスライド可能に保持され、その斜行スライダー４の先端部５は矢じり形で内部にジグソー用円ガイド８の一端を回転可能に接続する回転軸受６を設けたことを特徴とするジグソー用１型角丸加工治具。
【請求項２】
裏面に板材のＡ辺かＢ辺の１辺のみを固定するための２個の固定金具３を直列に配置した治具形状で、上面には板材の直角部の半角４５度線上をスライド移動する斜行スライダー４が２個の止めネジ付案内ガイドブロック７でスライド可能に保持されている、そのスライダーの矢じり形の先端部５の内部に、ジグソー用円ガイド８の一端を回転可能に接続する回転軸受６を設けたことを特徴とするジグソー用２型角丸加工治具。
【考案の詳細な説明】
【技術分野】
【０００１】
本考案は、木材や他の板材の隅の直角に処理された角を、電動切断工具のジグソーで四分円の角丸加工をする為の治具に関する。
【背景技術】
【０００２】
従来、木材他の板材は寸法に応じて四隅が直角に処理されており、それを材料として用いて製品を作る場合が多いが、製品によっては美観上又は製品の接触時の安全の為、四隅の直角部を丸く加工処理する場合が多い。
【０００３】
板材の角を丸く加工する手段としてはコンパスや円形定規等で四分円のケガキ線を入れて、鋸や電動丸ノコ等で細かく直線切りを重ねて余分な部分を切り離し、残った部分をヤスリや研磨機で丸く仕上げる方法がある。
【０００４】
ジグソー等の電動切断工具を用いる場合は、同じくケガキ線を入れてジグソー本体の切断用ブレードを目視しながらフリーハンドでケガキ線に合わせて切り取り、残った歪部分をヤスリや研磨機で仕上げる方法。
【０００５】
ジグソーを用いて専用の円ガイドを使った切断を行なう場合も有るが円の中心に円ガイド用針の小穴を開ける必要が有るため、材料の表面に傷を付ける問題がある、関連として特許文献１の請求の範囲の趣旨は本考案目的とは異なるが専用の円ガイド部に複数の中心穴が有り、その穴の一つに中心針を板材の表面に達するまで打ち込み円切断を行なう手段は背景技術のひとつと言える。
【先行技術文献】
【特許文献】
【０００６】
【特許文献１】実用新案公報  昭６２−３２８０１
【考案の概要】
【考案が解決しようとする課題】
【０００７】
解決すべき問題は、板材の角の直角形状を表面に傷を付けずに四分円形状に加工する一般的な手法は、角に任意の円形状のケガキ線を入れて鋸又は電動切断工具のジグソーを用いてフリーハンドにて切断したあとヤスリや研磨機で修正するなど、多くの工程と熟練の手間が必要なため、四分円加工製品の量産化が難しい事である。
【課題を解決するための手段】
【０００８】
本考案は、板材の隅の直角処理された形状を、出来るだけ加工の工程を少なくし且つ簡単な冶具を用いて均一で完成度の高い四分円加工をする工作であり、以下の２種類の手段を提供する。
【０００９】
板材の隅の直角部の隣り合う２辺をまたぐ形状の金属製治具で、その両端の裏面側にそれぞれ板を掴むネジ式固定金具を備えて板材と治具を固定する、又治具の上面の中央部には直角部の半角４５度線上を想定し、その線上をスライドする斜行スライダーが２個の止めネジ付案内ガイドブロックで、スライドと固定の両方が可能に保持されている、その斜行スライダーの先端部は矢じり形状で内部には回転軸受を設けジグソー用円ガイドを接続し、ジグソー用ベース板とブレードを回転切断可能に構成した１型角丸加工治具。
【００１０】
金属製治具が直角部の隣り合う２辺を跨ぐ形状でなく、１辺のみに２箇所以上の固定金具にて板材を固定する方法を取り、治具上面には前項と同様に板材の直角部の半角４５度の想定線上を２個の止めネジ付案内ガイドブロックでスライド可能に保持されている、又先端部は矢じり形状で内部に回転軸受けを備え円ガイドの接続端を接続して、ジクソーを円移動させそのブレードによる直角部の円形加工を行う２型角丸加工治具。
【考案の効果】
【００１１】
本考案を実施した場合、熟練者以外でも治具の板材への設置が出来れば一回の切断で完成度の高い四分円加工が可能である、又斜行スライダーとジグソーのベース板の相互位置を変えずに、治具を他の板への設置替えをすれば均一な規格の四分円加工が短時間で行え、加工数の量産が可能である。
【００１２】
板材に固定された治具の上面にある斜行スライダーの可動域内で、先端部の回転軸受の任意の固定位置と、その回転軸受に接続された円ガイド上を横行するベース板のブレード切り始め位置との、二箇所を固定することで任意の半径の四部円加工が可能となる。
【図面の簡単な説明】
【００１３】
【図１】ジグソーの従来の円ガイドの使用例
【図２】ジグソーの本体を除いた、ベース板と１型治具の関係を示す平面図
【図３】１型治具の正面図
【図４】ジグソーの本体を除いた、ベース板と２型治具の関係を示す平面図
【図５】２型治具の正面図
【図６】ジグソーのＡ辺からの切り出しを示す１型治具の平面図
【考案を実施するための形態】
【００１４】
本考案は図２と図４で示す様に、ジグソー専用の１型治具２ａと２型冶具２ｂを用いて板材の隅の直角部をジグソー１のブレード１０により一回の切断工程で完成度が高い四分円の扇状に円形加工することを目的としている、ここで使用する語句の四分円とは円の直径で割った四等分のひとつの９０度の扇状の部分を言う。
【００１５】
図１は先行技術である市販品のジグソー用円ガイド８を用いて、中心に円ガイド用針１２を打ちケガキ線１１を目安にジグソー１を円ガイド８に沿って動かし、板材の角を四分円の円形加工を行っている状況を示す。
【実施例１】
【００１６】
図２は１型治具２ａの説明をする平面図で、詳細説明のためジグソー本体１を透過し、べース板１ａと円ガイド８及び切断刃物のジグソーブレード１０と１型治具２ａの位置関係を表している。
【００１７】
両端の裏面側に固定金具３を備えた金属製１型治具２ａの上面に、板材の直角部の半角４５度線上をスライドする斜行スライダー４が２個の止めネジ付き案内ガイドブロック７で固定かスライドかの選択可能な状態で保持されている、又斜行スライダー４の先端部５は矢じり形状となっていて、その内部にはジグソー１専用の円ガイド８の接続端が回転可能に連結される回転軸受６が設けられている。
【００１８】
図３は１型治具の正面図である、板材の角の四分円加工をする直角部の隣り合うＡ辺とＢ辺の裏面側に固定金具３が板材を抱える様に配置されている、又先端部５の回転軸受６と円ガイド８の連結状態を示す。
【００１９】
１型冶具２ａを板材に設置する場合は、斜行スライダー４の矢じり形状の先端部５をスライドさせて板材の直角部の頂点Ｇ点に合わせた後、板材の裏面側の２個のネジ式固定金具３を板材に固定すれば、斜行スライダー４の先端部５にある回転軸受６の位置はスライド可動域において常に４５度線上を移動するため、回転軸受６はいずれの位置に在ってもＡ辺とＢ辺に対する対辺距離は同じとなる、ジグソー１の切断用ブ    レード１０の側面をＡ辺かＢ辺の切り始め位置に合わせて、斜行スライダー４の案内ガイドブロックの止めネジ７と、円ガイド用ガイドブロックの止めネジ９をロックした状態で、円ガイド８の回転半径に沿ってジグソー１を他辺へ移動させながらで板材を切断すると、一回の切断で完成度の高い四分円加工が完成する。
【実施例２】
【００２０】
図４は板材のＡ辺が短い細幅材Ｃの四分円加工に用いる２型治具２ｂの平面図である、板材のＡ辺が短いため片側のＢ辺側に２箇所の固定金具３を設けた構造とし、上面に１型治具２ａと同様に斜行スライダー４の先端を板材の直角部の半角の４５度線上に合わせて固定すれば、１型治具２ａと同様の切断効果が出る。
【００２１】
図５は２型治具の正面図である、細幅の板材Ｃを片側のＢ辺の裏面で２個の固定金具３が縦に板を固定している状況を示すが、１型治具２ａや２型治具２ｂに於いても２個またはそれ以上の固定金具３で固く板材を固定することで、斜行スライダー４先端部５の回転軸受６が確実に４５度線上に存在することが出来る。
【００２２】
図６はジグソー１がＡ辺からの切り始めを示す図であるが、実施例１及び２のＢ辺からの切り始めと異なり、ジグソーの円ガイド８をベース板１ａの円ガイド用ガイドブロック９の逆方向から挿入する手段を取る。
【産業上の利用可能性】
【００２３】
従来、板材の隅の直角部の四分円加工は熟練者の手作業に頼り工程も多く時間が掛かっていたが、電動工具のジクソーと本考案の治具を用いれば熟練者以外でも短時間で均一な完成度の高い四分円加工が出来、関連製品の量産に繋がる。
【符号の説明】
【００２４】
Ａ    板材の横辺
Ｂ    板材の縦辺
Ｃ    細幅の板材
Ｇ    板材の直角部の頂点
１    ジグソー
１ａ    ジグソーのベース板
２ａ    １型冶具
２ｂ    ２型冶具
３    ネジ式の固定金具
４    斜行スライダー
５    斜行スライダー先端部
６    回転軸受
７    止めネジ付き案内ガイドブロック
８    円ガイド
９    円ガイド用止めネジ付ガイドブロック
１０    ジグソー用ブレード
１１    ケガキ線
１２    円ガイド用針
【図１】
0003208005.tif 000003
【図２】
0003208005.tif 000004
【図３】
0003208005.tif 000005
【図４】
0003208005.tif 000006
【図５】
0003208005.tif 000007
【図６】
0003208005.tif 000008
【手続補正書】
【提出日】平成28年10月13日(2016.10.13)
【手続補正１】
【補正対象書類名】明細書
【補正対象項目名】全文
【補正方法】変更
【補正の内容】
【考案の詳細な説明】
【技術分野】
【０００１】
本考案は、木材や他の板材の隅の直角に処理された角を、電動切断工具のジグソーで四分円の角丸切断加工をする為の治具に関する。
【背景技術】
【０００２】
従来、木材他の板材は寸法に応じて四隅が直角に処理されており、それを材料として用いて製品を作る場合が多いが、製品によっては美観上又は製品の接触時の安全の為、四隅の直角部を丸く加工処理する場合が多い。
【０００３】
板材の角を丸く加工する手段としてはコンパスや円形定規等で四分円のケガキ線を入れて、鋸や電動丸ノコ等で細かく直線切りを重ねて余分な部分を切り離し、残った部分をヤスリや研磨機で丸く仕上げる方法がある。
【０００４】
ジグソー等の電動切断工具を用いる場合は、同じくケガキ線を入れてジグソー本体の切断用ブレードを目視しながらフリーハンドでケガキ線に合わせて切り取り、残った歪部分をヤスリや研磨機で仕上げる方法。
【０００５】
ジグソーを用いて専用の円ガイドを使った切断を行なう場合も有るが円の中心に円ガイド用針の小穴を開ける必要が有るため、材料の表面に傷を付ける問題がある、関連として特許文献１の請求の範囲の趣旨は本考案目的とは異なるが専用の円ガイド部に複数の中心穴が有り、その穴の一つに中心針を板材の表面に達するまで打ち込み円切断を行なう手段は背景技術のひとつと言える。
【先行技術文献】
【特許文献】
【０００６】
【特許文献１】実用新案公報  昭６２−３２８０１
【考案の概要】
【考案が解決しようとする課題】
【０００７】
解決すべき問題は、板材の角の直角形状を表面に傷を付けずに四分円形状に加工する一般的な手法は、角に任意の円形状のケガキ線を入れて鋸又は電動切断工具のジグソーを用いてフリーハンドにて切断したあとヤスリや研磨機で修正するなど、多くの工程と熟練の手間が必要なため、四分円加工製品の量産化が難しい事である。
【課題を解決するための手段】
【０００８】
本考案は、板材の隅の直角処理された形状を、出来るだけ加工の工程を少なくし且つ簡単な冶具を用いて均一で完成度の高い四分円加工をする工作であり、以下の２種類の手段を提供する。
【０００９】
板材の隅の直角部の隣り合う２辺をまたぐ形状の金属製治具で、その両端の裏面側にそれぞれ板を掴むネジ式固定金具を備えて板材と治具を固定する、又治具の上面の中央部には直角部の半角４５度線上を想定し、その線上をスライドする斜行スライダーが２個の止めネジ付案内ガイドブロックで、スライド移動と固定が選択可能に保持されている、その斜行スライダーの先端部は矢じり形状で内部に回転軸受を設け、ジグソー用円ガイドを接続してジグソーのベース板とブレードを一体として回転させながら角部を切断可能に構成した１型角丸加工治具。
【００１０】
金属製治具が直角部の隣り合う２辺を跨ぐ形状でなく、１辺のみに２箇所以上のネジ式固定金具にて板材を固定する方法を取り、治具上面には前項と同様に板材の直角部の半角４５度の想定線上を２個の止めネジ付案内ガイドブロックでスライド移動と固定が選択可能に保持されている、又先端部は矢じり形状で内部に回転軸受けを備え円ガイドの接続端を接続して、ジクソーを円移動させそのブレードによる直角部の円形切断加工を行う２型角丸加工治具。
【考案の効果】
【００１１】
本考案を実施した場合、熟練者以外でも治具の板材への設置が出来れば一回の切断で完成度の高い四分円加工が可能である、又斜行スライダーとジグソーのベース板の相互位置を変えずに、治具を他の板への設置替えをすれば均一な規格の四分円加工が短時間で行え、加工数の量産が可能である。
【００１２】
板材に固定された治具の上面にある斜行スライダーの可動域内で、先端部の回転軸受の任意の固定位置と、その回転軸受に接続された円ガイド上を横行するベース板のブレード切り始め位置の二箇所を固定することで任意の半径の四部円加工が可能となる。
【図面の簡単な説明】
【００１３】
【図１】ジグソーの従来の円ガイドの使用例
【図２】ジグソーの本体を除いた、ベース板と１型治具の関係を示す平面図
【図３】１型治具の正面図
【図４】ジグソーの本体を除いた、ベース板と２型治具の関係を示す平面図
【図５】２型治具の正面図
【図６】ジグソーのＡ辺からの切り出しを示す１型治具の平面図
【考案を実施するための形態】
【００１４】
本考案は図２と図４で示す様に、ジグソー専用の１型治具２ａと２型冶具２ｂを用いて板材の隅の直角部をジグソー１のブレード１０により一回の切断工程で完成度が高い四分円の扇状に円形切断加工することを目的としている、ここで使用する語句の四分円とは円の直径で割った四等分のひとつの９０度の扇状の部分を言う。
【００１５】
図１は先行技術である市販品のジグソー用円ガイド８を用いて、中心に円ガイド用針１２を打ちケガキ線１１を目安にジグソー１を円ガイド８に沿って回転させながら切断し、板材の角を四分円の円形加工をしている状況を示す。
【実施例１】
【００１６】
図２は１型治具２ａの説明をする平面図で、詳細説明のためジグソー本体１を透過し、べース板１ａと円ガイド８及び切断刃物のジグソーブレード１０と、１型治具２ａの位置関係とを表している。
【００１７】
両端の裏面側に固定金具３を備えた金属製１型治具２ａの上面に、板材の直角部の半角４５度線上をスライドする斜行スライダー４が２個の止めネジ付き案内ガイドブロック７で固定かスライドかの選択可能な状態で保持されている、又斜行スライダー４の先端部５は矢じり形状となっていて、その内部にはジグソー１専用の円ガイド８の接続端が回転可能に連結される回転軸受６が設けられている。
【００１８】
図３は１型治具の正面図である、板材の角の四分円加工をする直角部の隣り合うＡ辺とＢ辺の裏面側に固定金具３が板材を抱える様に配置されている、又先端部５の回転軸受６と円ガイド８の連結状態を示す。
【００１９】
１型冶具２ａを板材に設置する場合は、斜行スライダー４の矢じり形状の先端部５をスライドさせて板材の直角部の頂点Ｇ点に合わせた後、板材の裏面側の２個のネジ式固定金具３を板材に固定すれば、斜行スライダー４の先端部５にある回転軸受６の位置はスライド可動域において常に４５度線上を移動するため、回転軸受６はいずれの位置に在ってもＡ辺とＢ辺に対する対辺距離は同じとなり、ジグソー１の切断用ブレード１０の側面をＡ辺又はＢ辺の切り始め位置に合わせて、斜行スライダー４の案内ガイドブロックの止めネジ７と、円ガイド用ガイドブロックの止めネジ９をロックした状態で、円ガイド８の回転半径に沿ってジグソー１を他辺へ移動させながらで板材を切断すると、一回の切断で切終わりのＡ辺及びＢ辺の位置にブレード歯厚による段差を作らず完成度の高い四分円切断加工が完成する。
【実施例２】
【００２０】
図４は板材のＡ辺が短い細幅材Ｃの四分円加工に用いる２型治具２ｂの平面図である、板材のＡ辺が短いため片側のＢ辺側に２箇所の固定金具３を設けた構造とし、上面に１型治具２ａと同様に斜行スライダー４の先端を板材の直角部の半角の４５度線上に合わせて固定すれば、１型治具２ａと同様の切断効果が出る。
【００２１】
図５は２型治具の正面図である、細幅材Ｃを片側のＢ辺の裏面で２個の固定金具３で縦に固定している状況を示すが、１型治具２ａや２型治具２ｂに於いても２個またはそれ以上の固定金具３で固く板材を固定することで、斜行スライダー４先端部５の回転軸受６が確実に４５度線上に存在することが出来る。
【００２２】
図６はジグソー１がＡ辺からの切り始めを示す図であるが、実施例１及び２のＢ辺からの切り始めと異なり、ジグソーの円ガイド８をベース板１ａの円ガイド用ガイドブロック９の逆方向から挿入する手段を取る。
【産業上の利用可能性】
【００２３】
従来、板材の隅の直角部の四分円加工は熟練者の手作業に頼り工程も多く時間が掛かっていたが、電動工具のジクソーと本考案の治具を用いれば熟練者以外でも短時間で均一な完成度の高い四分円加工が出来、関連製品の量産に繋がる。
【符号の説明】
【００２４】
Ａ    板材の横辺
Ｂ    板材の縦辺
Ｃ    細幅の板材
Ｇ    板材の直角部の頂点
１    ジグソー
１ａ    ジグソーのベース板
２ａ    １型冶具
２ｂ    ２型冶具
３    ネジ式の固定金具
４    斜行スライダー
５    斜行スライダー先端部
６    回転軸受
７    止めネジ付き案内ガイドブロック
８    円ガイド
９    円ガイド用止めネジ付ガイドブロック
１０    ジグソー用ブレード
１１    ケガキ線
１２    円ガイド用針
【手続補正２】
【補正対象書類名】図面
【補正対象項目名】図２
【補正方法】変更
【補正の内容】
【図２】
0003208005.tif 000009